Podtech/llm-jp-corpus-v4-ja_patent huggingface dataset:
(57)【要約】【課題】従来の蛇口取り付け用シャワーヘッドでは、蛇口部分に固定されており、自由自在な方向へシャワーヘッドを向けることが出来なかった。又、伸縮性を持たないため、多様な作業空間の確保が出来なかった。又、屈曲した状態での固定が出来なかった。【解決手段】蛇口取り付け部とシャワーヘッドの間に蛇腹部を用いることにより、食器洗浄時などには蛇腹部を縮小状態で使用し、流し台洗浄時などには図2のように伸長状態で使用でき、又、その固定性によりハンズフリー作業が可能となる。【選択図】図２
2006219887.tif 000002
【特許請求の範囲】
【請求項１】
成形用高分子素材からなる蛇腹部を用い、伸縮性を持たせることにより、通常の蛇口使用時は流し台と蛇口の距離を広く保つことで作業をしやすくし、又、蛇腹を伸ばした状態での使用時には通常時には水が届かなかった部分にも容易に水を散水することができ、又、その状態で固定できる蛇口取り付け用シャワーヘッド。
【発明の詳細な説明】
【技術分野】
【０００１】
蛇口取り付け用のシャワーヘッドに関するもの。
【背景技術】
【０００２】
蛇口取り付け用シャワーヘッドに関しては特開昭48-71057の切り替え機構付きの物が有るが、本発明では蛇腹部分を用いることにより、シャワーヘッドに伸縮性、多方向性を持たせ、洗浄作業の多様性を計った。
【０００３】
又、蛇腹としては、特開平10-249245があるが、本発明は、収縮、延長が自在に出来ることによって、それぞれ適した作業空間を確保できる。
【特許文献１】特開昭48-71057
【特許文献２】特開平10-249245
【発明の開示】
【発明が解決しようとする課題】
【０００４】
従来の蛇口取り付け用シャワーヘッドでは、蛇口部分に固定されており、自由自在な方向へシャワーヘッドを向けることが出来なかった。
【０００５】
又、伸縮性を持たないため、多様な作業空間の確保が出来なかった。
【課題を解決するための手段】
【０００６】
上記課題を解決するためには蛇口取り付け部とシャワーヘッドの間に多方向性、又は伸縮性、又は固定性を持たせるための補助部分が必要である。
【発明の効果】
【０００７】
請求項１記載の本発明は蛇口取り付け用シャワーヘッドに蛇腹部分を用いることにより、多方向への給水が可能になり、流し台の洗浄などに効果的である。
【０００８】
又、蛇腹部分の伸縮性により、食器洗浄時には縮めた状態で使用でき、流し台などの洗浄時には伸ばした状態で使用することが出来る。
【０００９】
又、伸縮あるいは自在な方向へ向けた状態で固定できるため、両手が自由な状態を確保できる。
【発明を実施するための最良の形態】
【００１０】
まず、素材としては防水性があり、一定の強度がある、成形用高分子素材が適している。
【００１１】
水栓の蛇口に取り付ける部分は図３の様に、直径が段階に分かれており、数種類の蛇口への対応が可能である。
【００１２】
その蛇口取り付け部分とシャワーヘッドの間に蛇腹部分が配置され、一体型となっている。
【００１３】
蛇腹部は図1の様に食器などの洗浄時には縮小した状態で使用し、流し台などの洗浄時には図2のように伸長し、固定した状態で使用することができる。
【実施例１】
【００１４】
シャワー設備のない洗面台の蛇口に取り付けることにより、シャワーヘッドを上向きに固定することによって、洗髪を行うことができる。
【図面の簡単な説明】
【００１５】
【図１】蛇口に取り付けた状態で、蛇腹部は縮小したまま流水させた明図である。
【図２】蛇口に取り付けた状態で、蛇腹部は伸長させてなおかつ屈曲させた明図である。
【図３】伸長状態の断面図。
【符号の説明】
【００１６】
１    水道の蛇口
２    蛇口取り付け部
３    蛇腹部
４    シャワーヘッド
【図１】
2006219887.tif 000003
【図２】
2006219887.tif 000004
【図３】
2006219887.tif 000005
(57)【要約】【課題】自動停止する水栓又はカランを使用しての洗髪又は身体を洗い流す作業は、何度も押しボタン又はレバーを押さなければならず、手間がかかり不便である。特に洗髪時には視界が不自由であり困難で危険の伴う作業である。又、高齢者や身体障害者にとってはよりいっそうの困難や危険性の伴う作業である。【解決手段】上記課題の解決のためには、自動停止する水栓又はカランからの流水を継続させる必要があるため、押しボタン又はレバー部分に本発明の補助装置を取り付けることによって、押しボタン又はレバー部分を押した状態で固定されるため、継続的に流水させる事ができる。【選択図】図３
2006219886.tif 000002
【特許請求の範囲】
【請求項１】
自動的に停止する水栓及びカランに取り付ける事により、押しボタン又はレバーを押し続けた状態で固定、又は流水した状態で固定し、継続的に流水させる事の出来る補助装置。
【請求項２】
押しボタン式又は、レバー式の自動的に停止する水栓及びカランの両方式に対応する請求項１記載の補助装置。
【発明の詳細な説明】
【技術分野】
【０００１】
本発明は、押しボタン式又はレバー式の自動的に停止する水栓及びカランに対して継続的に流水させる補助装置。
【背景技術】
【０００２】
該当技術無し。
【発明の開示】
【発明が解決しようとする課題】
【０００３】
自動停止水栓などを使用しての洗髪、又は身体を洗い流す際に、流水が停止し何度も押しボタン又はレバーを押す手間がかかり不便である。
【０００４】
特に洗髪時において、視界は非常に不自由な状態で何度も押しボタンを押す等の作業は、困難で危険である。
【０００５】
又、老人や身体障害者が何度も停止する水栓又はカランを押す作業はいっそうの困難を伴う。
【課題を解決するための手段】
【０００６】
上記の課題を解決するためには自動的に停止する流水を継続的に流水させる必要がある。
そのためには、自動的に停止する水栓又はカランの押しボタン又はレバーを押し続ける必要がある。
【発明の効果】
【０００７】
請求項１及び２に記載の本発明は、自動的に停止する水栓又はカランに取り付け、押しボタン又はレバーを押し続けることによって、継続的に流水させる事ができる。
【０００８】
本発明により継続的に流水させる事が可能になる事で洗髪又は身体を洗い流す際に、何度も押しボタンやレバーを押す手間を省くことができる。
【０００９】
又、洗髪時における視界が極めて不自由な状態での押しボタンやレバーを押すという困難で危険な作業を解消できる。
【００１０】
又、老人や身体障害者が何度も押しボタンやレバーを押すという困難で危険な作業を解消できる。
【発明を実施するための最良の形態】
【００１１】
本発明を実施するための最良の形態として、まず材質としては錆びを防ぎ、又、人力に耐える程度の強度があり、かつ弾力性のある素材として成型用高分子が適している。又、図１のカバーと図２の台座の接着面には植物性、又は化学性樹脂のような吸着性のある素材が適しており、かつ、免水性を持たせるための免水溝を接着面に刻む。  
【００１２】
自動的に停止する水栓又はカランには、大きく分けて押しボタン方式とレバー方式があり、本発明ではその両方式に対応させるため、まず押しボタン方式の場合では、図２の台座を水栓又はカランのパイプにベルト、又は止め金、又はネジ等で固定し、押しボタンの上から図１のカバーを図3のようにかぶせ、図２−６の台座のアーム部分が内側に３°〜10°の範囲で傾斜しているため、図1のカバーを押し込むと、カバー内側の植物性又は化学性樹脂と図２−３のアーム外側の樹脂がその吸着性により圧着し、固定される。
【００１３】
又、レバー式では図４に示すように、まず、パイプに台座を固定し、レバーの横からカバーをかぶせ、レバーをまわした状態でカバーを台座に押し込むことにより、押しボタン式と同様に固定される。
【００１４】
又、カバーを台座からはずす場合には、図２−４の押しボタンを押すことにより、台座のアームとカバーの圧着性が解消され、容易に取り外すことができる。 
【図面の簡単な説明】
【００１５】
【図１】押しボタン又はレバーにかぶせ、流水した状態で固定させるためのカバー。
【図２】自動停止する水栓又はカランに取り付け、そのアームによって図１のカバーを固定させるための台座。右は上方向からの見取り図。
【図３】押しボタン式自動停止水栓への取り付け図。
【図４】レバー式自動停止水栓への取り付け図。
【符号の説明】
【００１６】
１    レバー挿入開口部
２    カバー内部樹脂
３    アーム外部樹脂
４    解除ボタン
５    ベルト取り付け部
６    アーム
７    自動停止水栓押しボタン
８    流水口
９    ベルト
１０  止め具
１１  自動停止水栓レバー
【図１】
2006219886.tif 000003
【図２】
2006219886.tif 000004
【図３】
2006219886.tif 000005
【図４】
2006219886.tif 000006
(57)【要約】【課題】自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、コーナ部に装着したときのトリムの車外側側壁の口開きを解消する。【解決手段】トリム３の車外側側壁にインサートされる芯材２の先端部を車内側に屈曲させ、先端部の剛性を向上させてフランジをしっかりと把持できるようにする。【選択図】図３
2006219067.tif 000002
【特許請求の範囲】
【請求項１】
自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部が車内側に屈折ないし屈曲することを特徴とするオープニングトリム。
【請求項２】
自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部及び若しくは先端部付近の車内側に突部を設けたことを特徴とするオープニングトリム。
【請求項３】
自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部の肉厚を、該先端部付近の肉厚より厚くし、かつ両側に膨出させたことを特徴とするオープニングトリム。
【発明の詳細な説明】
【技術分野】
【０００１】
本発明は自動車ボディのドア開口縁部に装着され、コーナ部、例えば図１に示す自動車のａ部コーナ部への追従性を向上させたオープニングシールに関する。
【背景技術】
【０００２】
図２は、この種オープニングシールについて示すもので、ドア開口縁部のフランジ１に差込んで装着され、断面略Ｕ形状のトリム３と、トリム３より側方に突設され、ドア閉時にドアフレーム４に弾接してシールする中空シール部５と、中空シール部５と反対側のトリム３より突設され、ガーニッシュ端を覆うリップ６よりなっており、トリム３には通常芯金がインサートされているが、芯金に代えて図示するように硬質樹脂製の芯材２をインサートしたものも知られる。
【発明の開示】
【発明が解決しようとする課題】
【０００３】
合成樹脂製の芯材の場合、剛性不足により保持力が不足しがちである。この対策として芯材２の肉厚を厚くしたり、Ｕ形断面をなす芯材２の底部肉厚を厚くすることが試みられているが、合成樹脂製の芯材２を備えたオープニングシールの場合、図１に示す自動車のａ部コーナ部に装着したとき、図２に示すトリム３の車外側側壁が図３の矢印方向に浮上がり、口開きする傾向がある。
【０００４】
本発明は、コーナ部に装着したときのトリムの車外側側壁の口開きを解消することができるオープニングシールを提供することを目的とする。
【課題を解決するための手段】
【０００５】
本発明は、自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部が車内側に屈折ないし屈曲することを特徴とし、
別の発明は、自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部及び若しくは先端部付近の車内側に突部を設けたことを特徴とする。
【０００６】
更に別の発明は、自動車ボディのドア開口縁部のフランジに差込んで装着され、樹脂製の芯材をインサートした断面略Ｕ形状のトリムと、該トリムより側方に突設され、ドア閉時にドアフレームに弾接してシール部と中空シール部とを有するオープニングシールにおいて、上記芯材は上記トリムの車外側側壁にインサートされる部分の先端部の肉厚を、該先端部付近の肉厚より厚くし、かつ両側に膨出させたことを特徴とする。
【０００７】
上記各発明で用いる芯材の材質は、硬質樹脂であれば特に制限はない。敢て例示すれば、汎用的な樹脂で、安価であり、剛性も適したポリプロピレンが挙げられる。
【発明の効果】
【０００８】
本発明のオープニングシールによると、芯材先端部が屈折ないし屈曲するか、芯材先端部及び若しくは先端部付近の車内側に突部を設け、或いは芯材先端部の肉厚を該先端部付近の肉厚より厚くし、かつ両側に膨出させたことにより芯材先端の剛性が増し、コーナ部に装着しても芯材先端部でフランジをしっかりと把持し口開きされることがない。
【実施例１】
【０００９】
図３は、本発明に係るオープニングシールについて示すもので、芯材２はポリプロピレン製で、同じ厚みに形成され、図２に示す従来のオープニングシールと異なる点は、中空シール部５が突設される車外側側壁にインサートされる芯材２の先端部２ａが車内側に屈曲している点で、これ以外の構成は図２に示す従来のオープニングシールと変わりがなく、その説明は省略する。
【００１０】
図４は、上記芯材２の別の態様を示すもので、先端部付近の車内側に突部８が設けられている。
図５は、上記芯材２の更に別の態様を示すもので、先端部２ｂの肉厚が先端部付近の肉厚より厚く、かつ両側に膨出させてある。
【図面の簡単な説明】
【００１１】
【図１】自動車の側面図
【図２】従来のオープニングシールの断面図
【図３】本発明に係るオープニングシールの断面図
【図４】芯材の別の例を示す断面図。
【図５】芯材の更に別の例を示す断面図。
【符号の説明】
【００１２】
１・・フランジ
２・・芯材
２ａ・・芯材先端部
２ｂ・・先端部
３・・トリム
４・・ドアフレーム
５・・中空シール部
６・・リップ
８・・突部
【図１】
2006219067.tif 000003
【図２】
2006219067.tif 000004
【図３】
2006219067.tif 000005
【図４】
2006219067.tif 000006
【図５】
2006219067.tif 000007
(57)【要約】【課題】  従来は、樹脂製のケースに形成した爪部を液晶表示器に係合させて、液晶表示器をケースに固定する構造であるため、液晶表示器をケースに組み付ける際、爪部が液晶表示器にこすれられて爪部の削れ滓が発生していた。【解決手段】  液晶表示器１の表面側に配置される化粧部材２に、液晶表示器１側に向かって突出する凸部２１を形成し、凸部２１とケース３とによって液晶表示器１を挟持することにより、削れ滓発生源の爪部を不要にする。【選択図】        図２
2006219055.tif 000002
【特許請求の範囲】
【請求項１】
情報を表示する表示手段（１）と、
前記表示手段（１）の表面側に配置されるとともに、前記表示手段（１）の情報表示面（１０）を視認可能にする表示窓（２０）が形成された化粧部材（２）と、
前記表示手段（１）の裏面側に配置されて前記表示手段（１）を保持するケース（３）とを備える車両用計器において、
前記化粧部材（２）は、前記表示手段（１）側に向かって突出する凸部（２１）を備え、前記凸部（２１）と前記ケース（３）とによって前記表示手段（１）が挟持されていることを特徴とする車両用計器。
【請求項２】
前記凸部（２１）は、印刷によって形成されていることを特徴とする請求項１に記載の車両用計器。
【請求項３】
前記表示手段（１）は、液晶表示器であることを特徴とする請求項１または２に記載の車両用計器。
【請求項４】
前記化粧部材（２）は、平板状であることを特徴とする請求項１ないし３のいずれか１つに記載の車両用計器。
【発明の詳細な説明】
【技術分野】
【０００１】
本発明は、車両に装備される計器に関するものである。
【背景技術】
【０００２】
従来、情報を表示する表示手段として液晶表示器を用いた車両用計器においては、樹脂製のケースに形成した爪部を液晶表示器に係合させて、液晶表示器をケースに固定している（例えば、特許文献１参照）。
【特許文献１】特開２００２−１６９１４３号公報
【発明の開示】
【発明が解決しようとする課題】
【０００３】
しかしながら、従来の車両用計器は、液晶表示器をケースに組み付ける際、液晶表示器によって爪部を押し拡げながらケースに組み付けるため、爪部が液晶表示器にこすれられて爪部の削れ滓が発生するという問題があった。
【０００４】
本発明は上記点に鑑みて、削れ滓を出さずに表示手段をケースに固定可能にすることを目的とする。
【課題を解決するための手段】
【０００５】
上記目的を達成するため、請求項１に記載の発明では、情報を表示する表示手段（１）と、表示手段（１）の表面側に配置されるとともに、表示手段（１）の情報表示面（１０）を視認可能にする表示窓（２０）が形成された化粧部材（２）と、表示手段（１）の裏面側に配置されて表示手段（１）を保持するケース（３）とを備える車両用計器において、化粧部材（２）は、表示手段（１）側に向かって突出する凸部（２１）を備え、凸部（２１）とケース（３）とによって表示手段（１）が挟持されていることを特徴とする。
【０００６】
これによると、削れ滓発生源の爪部が不要となるため、削れ滓を出さずに表示手段をケースに固定することができる。
【０００７】
請求項２に記載の発明のように、請求項１に記載の車両用計器において、凸部（２１）は印刷によって形成することができる。
【０００８】
そして、請求項４に記載の発明のように、化粧部材（２）を平板状にすることにより、凸部を形成するための印刷を容易に行うことができる。
【０００９】
請求項３に記載の発明のように、請求項１または２に記載の車両用計器において、表示手段（１）として液晶表示器を用いることができる。
【００１０】
なお、上記各手段の括弧内の符号は、後述する実施形態に記載の具体的手段との対応関係を示すものである。
【発明を実施するための最良の形態】
【００１１】
本発明の一実施形態について説明する。図１は一実施形態に係る車両用計器の要部を車両後方側から見た図、図２は図１のＡ−Ａ線に沿う断面図である。
【００１２】
図１、図２に示すように、本実施形態の車両用計器は、走行距離などの各種の車両情報を表示するための液晶表示器１を備えている。液晶表示器１は、情報を表示する情報表示面１０と、後述するプリント基板に電気的に接続されるピン１１とを有している。なお、液晶表示器１は、本発明の表示手段に相当する。
【００１３】
液晶表示器１の表面（図２の紙面上方）側には、ウレタンアクリレート等の樹脂よりなる平板状の化粧部材２が配置されている。化粧部材２には、情報表示面１０を視認可能にする四角形の開口の表示窓２０が形成されている。
【００１４】
化粧部材２における液晶表示器１に対向する面には、情報表示面１０に向かって突出する凸部２１が、スクリーン印刷によって形成されている。凸部２１は、表示窓２０の周囲で且つ表示窓２０の各角部近傍に４つ配置されている。また、凸部２１は、略半球状であり、０．５ｍｍ程度突出している。
【００１５】
液晶表示器１の裏面（図２の紙面下方）側には、樹脂製のケース３が配置されている。ケース３には筒部３０が形成されており、筒部３０における液晶表示器１側には、情報表示面１０が載せられている。また、ケース３における反液晶表示器１側には、プリント基板４が配置されている。
【００１６】
プリント基板４における反液晶表示器１側には、コネクタ４０が実装されており、このコネクタ４０に液晶表示器１のピン１１が接続されている。
【００１７】
プリント基板４における液晶表示器１側には、光源５が実装されている。光源５は、液晶表示器１のバックライトとして機能するものであり、光源５からの光はケース３の筒部３０によって情報表示面１０側に導かれる。
【００１８】
化粧部材２およびプリント基板４は、図示しないビス等の締結手段によりケース３に固定されている。
【００１９】
そして、化粧部材２をケース３に固定することにより、化粧部材２の凸部２１によって液晶表示器１の情報表示面１０がケース３の筒部３０に押し付けられ、凸部２１と筒部３０とによって情報表示面１０が挟持されている。
【００２０】
本実施形態では、凸部２１と筒部３０とによって情報表示面１０を挟持するため、削れ滓発生源の爪部が不要となり、したがって、削れ滓を出さずに液晶表示器１をケース３に固定することができる。
【００２１】
また、化粧部材２は平板状であるため、凸部２１を形成するための印刷を容易に行うことができる。
【図面の簡単な説明】
【００２２】
【図１】本発明の一実施形態に係る車両用計器の要部を車両後方側から見た図である。
【図２】図１のＡ−Ａ線に沿う断面図である。
【符号の説明】
【００２３】
１…液晶表示器（表示手段）、２…化粧部材、３…ケース、１０…情報表示面、２０…表示窓、２１…凸部。
【図１】
2006219055.tif 000003
【図２】
2006219055.tif 000004
(57)【要約】【課題】  幼児用座席に乗る子供に被せたヘルメットの置き場所を所定の位置に決め、ロックが掛けられるようにすることと、幼児の乗り降りの際に邪魔にならないようにする。【構成】  座席部１の外周りの、幼児の着座を妨げない位置に、ヘルメット１０をロックする錠前８を備えたヘルメットホルダー３を設けるとともに、該ヘルメットホルダー３を座席部１の外周りの左側面部の下部に備えて、ヘルメット１０の置き場所を定位置に決め、盗難を防止できるようにし、保護者が行なう乗降の介助の邪魔にもならないようにした自転車用幼児座席。【選択図】    図１
2006219039.tif 000002
【特許請求の範囲】
【請求項１】
座席部の外周りの、幼児の着座を妨げない位置に、ヘルメットをロックする錠前を備えたヘルメットホルダーを設けたことを特徴とする自転車用幼児座席。
【請求項２】
前記ヘルメットホルダーは、前記座席部の外周りの左側面部の下部に備えられていることを特徴とする請求項１記載の自転車用幼児座席。
【発明の詳細な説明】
【技術分野】
【０００１】
本発明は、自転車用幼児座席に関し、幼児座席に錠前にロックされるヘルメットホルダーを備えたことを特長とする。
【背景技術】
【０００２】
近年、幼児座席に子供を乗せた状態で自転車が転倒することで子供に思わぬ怪我をさせる事故が増えている。
上記のような同乗時の事故を防止するために、幼児座席に座らせる場合にも子供にヘルメットを着用させることが義務付けられるようになった。
一方で、幼児用座席にも例えば前座席用（例えば特許文献１）とか後ろ座席用（例えば特許文献２）等が開発されつつある。
【０００３】
【特許文献１】特開２００４−１８９０６５号公報（第１頁、図１）
【特許文献２】特開２００４−１８９０６６号公報（第１頁、図１）
【発明の開示】
【発明が解決しようとする課題】
【０００４】
例えば、上記先願の幼児用座席において、同乗した子供に被せたヘルメットは、自転車から降りる際に座席の前部にある把手などに掛けて置くこともできるが、駐輪中に盗まれるおそれがある。また、把手にヘルメットを掛けると幼児の乗り降りに邪魔になる場合がある。
このようなことから、本発明が解決しようとする課題は、幼児用座席に乗る子供に被せたヘルメットの置き場所を所定の位置に決め、ロックが掛けられるようにすることと、幼児の乗り降りの際に邪魔にならないようにすることにある。
【課題を解決するための手段】
【０００５】
そこで本発明は、上記の課題を解決するために、座席部の外周りの、幼児の着座を妨げない位置に、ヘルメットをロックする錠前を備えたヘルメットホルダーを設けたことを特徴とする自転車用幼児座席を提供するものである。
【発明の効果】
【０００６】
上記のように構成した本発明自転車用幼児座席は、子供に被せたヘルメットの置き場所が定位置に決まり、ロックが掛けられるので盗難を防止できる。また、ヘルメットを置くホルダーは、座席部の外周りの、幼児の着座を妨げない位置にあるので、保護者が行なう乗降の介助の邪魔にもならない。
さらに、ヘルメットホルダーを座席部の外周りの左側面部の下部に備えるようにした本発明請求項２によれば、通常の保護者が自転車を乗り降りする場合の使い勝手側にヘルメットホルダーがあるので、幼児の乗り降りと、ヘルメットの着脱操作が容易にできる利点がある。
以上のようにして本発明は前記の課題を解決したものである。
【発明を実施するための最良の形態】
【０００７】
座席部の外周りの、幼児の着座を妨げない位置に、ヘルメットをロックする錠前を備えたヘルメットホルダーを設けるとともに、該ヘルメットホルダーを座席部の外周りの左側面部の下部に備えた自転車用幼児座席。
【実施例】
【０００８】
以下に本発明の実施例を図面について説明する。
図１は、本発明に係る幼児座席をその使用状態とともに示す斜視図、図２は、ヘルメットホルダーの使用状態を説明する一部切欠斜視図である。
【０００９】
図において、１は、正面部ａと底面部ｂと背面部ｃと、それぞれ左右一対の側面部ｄと脚載せ部ｅを一連一体に形成した座席部、２は、前面部ａに起立する左右一対の把手、３は、左側の側面部ｄの下縁から底面部ｂの裏面にかけて座席部１に一体に設けたヘルメットホルダーである。
【００１０】
ヘルメットホルダー３は、座席部１の前後方向に沿って下向きのコ字形をなし、前側の垂下部４から後ろ側の垂下部５に連続する施錠孔６を設け、図示のように、前側の垂下部４を貫通して後ろ側の垂下部５に達する長さの閂杆７を有する。なお、図中８は、後ろ側の垂下部５の側面に鍵穴を臨ませて該部に埋設され、後ろ側の施錠孔６内で閂杆７を施錠する錠前、９は、錠前８のキーである。
【００１１】
ヘルメット１０は、顎紐１１を前後の垂下部４、５の間に差し入れて閂杆７を挿通し、後ろ側の施錠孔６内で閂杆７の先端部を施錠することによってヘルメットホルダー３にロックされる。
ヘルメット１０の使用に際しては、錠前８に所定のキー９を差し込んで開錠操作することによりヘルメットホルダー３から開放される。
【００１２】
図示した実施例において、ヘルメットホルダー３は、座席部１の左側側面部ｄの下部に設けられているが、該ホルダー３を座席部１の後側に備える場合もある。また、ヘルメットホルダー３に備える錠前８は、図示の態様に限らない。さらに、錠前８のキー９を自転車用錠と共用する場合もある。
また、実施例の説明において、座席部１に備える自転車の車体への取付け構造については図示とその説明を省略している。
【産業上の利用可能性】
【００１３】
前記のように構成され上記のように用いられるようにした本発明自転車用幼児座席は、子供に被せたヘルメットの置き場所が定位置に決まり、ロックが掛けられるので、駐輪中などの盗難が防止できる。また、ヘルメットをロックするホルダーは、座席部の外周りの、幼児の着座を妨げない位置にあるので、保護者自身の昇降とか、保護者が行なう子供の乗降の介助の妨げにもならないなど、従来の幼児用座席に比べて信頼性の高い自転車用幼児座席の使用ができる。
なお、図示した実施例は後部座席用に形成したものであるが、本発明の実施に際しては、ヘルメットホルダーの位置を座席部の正面外側に変更するなどして前部座席用に構成する場合もある。
【図面の簡単な説明】
【００１４】
【図１】図１は、本発明に係る幼児座席をその使用状態とともに示す斜視図である。
【図２】図２は、ヘルメットホルダーの使用状態を説明する一部切欠斜視図である。
【符号の説明】
【００１５】
１  座席部  （ａ  正面部、ｂ  底面部、ｃ  背面部、ｄ  側面部、ｅ  脚載せ部）
２  把手
３  ヘルメットホルダー
４  前側の垂下部
５  後ろ側の垂下部
６  施錠孔
７  閂杆
８  錠前
９  キー
１０  ヘルメット
１１  顎紐
【図１】
2006219039.tif 000003
【図２】
2006219039.tif 000004